(57)【要約】【課題】被化粧者の化粧前の顔画像を撮像し、過去の顔画像と比較することにより現在の被化粧者の顔及び／又は肌の状態を診断する。【解決手段】今回撮影した被化粧者の顔画像と、過去に撮影した被化粧者の顔画像を所定の割合で合成し、左右反転して表示部１４の顔表示部１４１に表示する。また、今回撮影した顔画像と、過去に撮影した顔画像を比較解析し、今日の肌の調子や顔のむくみをデータ解析部２４が解析する。化粧法解析部４４は、データ解析部２４の解析結果に基づいて、化粧法データベース４６から最も適切なケア方法、化粧方法を選択し、選択された化粧方法に基づいて、化粧品データベース４２から最も適切な化粧品を選択する。これらの選択されたケア方法、化粧方法、及び化粧品は、表示部１４のアドバイス表示部１４２の上部に表示される。【選択図】  図６
2010086036.tif 000002
【特許請求の範囲】
【請求項１】
化粧前の被化粧者の画像を撮像する撮像手段と、
前記撮像された画像を記録手段に記録する記録制御手段と、
前記記録手段から過去に撮像された画像を読み出す読み出し手段と、
前記記録手段から読み出した過去の画像と前記撮像手段によって得られた現在の画像の２つの画像から、前記被化粧者の顔の部位であって、予め定められた複数の部位をそれぞれ抽出する抽出手段と、
前記それぞれ抽出した複数の部位間の距離が一致するように、前記２つの画像のうち少なくとも一方をリサイズするリサイズ手段と、
前記複数の部位間の距離が一致した２つの画像に基づいて、現在の被化粧者の顔及び／又は肌の状態を診断する診断手段と、
前記診断した顔及び／又は肌の状態を表示手段に表示する表示制御手段と、
を備えたことを特徴とする診断装置。
【請求項２】
前記リサイズ手段は、前記抽出した複数の部位間の距離が所定の値になるように、前記撮像手段によって得られた現在の画像をリサイズし、
前記記録制御手段は、前記リサイズされた現在の画像を記録手段に記録することを特徴とする請求項１に記載の診断装置。
【請求項３】
前記診断手段は、前記複数の部位間の距離が一致した２つの画像に基づいて、現在の被化粧者の顔のむくみ及び／又は肌のくすみを診断することを特徴とする請求項１又は２に記載の診断装置。
【請求項４】
前記読み出し手段は、前記記録手段に記録されている画像の中から被化粧者の顔及び／又は肌の状態が最も標準的な画像を読み出すことを特徴とする請求項１から３のいずれかに記載の診断装置。
【請求項５】
前記判断した顔の状態に基づいて、前記被化粧者に適したケア方法、メイク方法、及び化粧品のうち少なくとも１つに関するアドバイスを生成するアドバイス生成手段を備え、
前記表示制御手段は、前記生成したアドバイスを表示手段に表示することを特徴とする請求項１から４のいずれかに記載の診断装置。
【請求項６】
ケア方法、メイク方法、及び化粧品のうち少なくとも１つに関するデータベースを備え、
前記アドバイス生成手段は、前記判断した顔の状態に基づいて、前記被化粧者に適したケア方法、メイク方法、及び化粧品のうち少なくとも１つを前記データベースを検索してアドバイスを生成することを特徴とする請求項１から５のいずれかに記載の診断装置。
【請求項７】
被化粧者が自己の所有する化粧品についての情報を入力する入力手段を備え、
前記入力手段から入力された情報に基づいて化粧品に関するデータベースを生成することを特徴とする請求項６に記載の診断装置。
【請求項８】
前記入力手段は、前記表示手段の前面に備えられた透過型のタッチパネルであって、前記表示手段に表示された複数の入力ボタン画像に対応する部分に触れることにより当該入力ボタン画像に対応するデータの入力が可能なタッチパネルを備えたことを特徴とする請求項７に記載の診断装置。
【請求項９】
前記表示手段の前面又は背面にマジックミラーを備え、前記表示手段が表示を行わないときは前記マジックミラーを鏡として使用可能なことを特徴とする請求項１から８のいずれかに記載の診断装置。
【請求項１０】
前記撮像手段を前記マジックミラー及び表示手段の背面に配置したことを特徴とする請求項１から９のいずれかに記載の診断装置。
【請求項１１】
前記複数の部位間の距離が一致した２つの画像を所定の比率で合成する合成手段を備え、
前記表示制御手段は、前記合成した画像を前記表示手段に表示することを特徴とする請求項１から１０のいずれかに記載の診断装置。
【請求項１２】
前記抽出手段は、前記撮像手段によって得られた現在の画像から被化粧者の顔領域を抽出し、
前記記録制御手段は、前記抽出された顔領域を記録手段に記録することを特徴とする請求項１から１１のいずれかに記載の診断装置。
【請求項１３】
化粧前の被化粧者の画像を撮像する撮像工程と、
前記撮像された画像を記録手段に記録する記録制御工程と、
前記記録手段から過去に撮像された画像を読み出す工程と、
前記記録手段から読み出した過去の画像と前記撮像手段によって得られた現在の画像の２つの画像から、前記被化粧者の顔の部位であって、予め定められた複数の部位をそれぞれ抽出する抽出工程と、
前記それぞれ抽出した複数の部位間の距離が一致するように、前記２つの画像のうち少なくとも一方をリサイズするリサイズ工程と、
前記複数の部位間の距離が一致した２つの画像に基づいて、現在の被化粧者の顔の状態を判断する判断工程と、
前記判断した顔の状態を表示手段に表示する表示制御工程と、
を備えたことを特徴とする診断方法。
【発明の詳細な説明】
【技術分野】
【０００１】
本発明は診断装置及び診断方法に係り、特に、被化粧者の化粧前の顔画像を撮像し、過去の顔画像と比較することにより現在の被化粧者の顔及び／又は肌の状態を診断する診断装置及び診断方法に関する。
【背景技術】
【０００２】
従来、自分に合う化粧方法を知るには、専門店へ出向き、特殊なカメラを使った肌のチェックや、顔色のチェックを行い、それらに合った化粧品を専門家に聞く必要があり、金銭的・時間的負担が大きいという問題点があった。
【０００３】
このような問題点に対し、特許文献１には、被化粧者が鏡の前に座るだけで顔の画像を取り込み、その日の湿度や気候などを考慮した上で、被化粧者の顔画像のデータを解析し、保有化粧品ＤＢから最適な化粧品を選択して被化粧者に提示する技術が開示されている。また、特許文献２には、小型カメラで被化粧者の肌データを取り込み、過去データと比較して鏡部分に結果を表示する技術が記載されている。これらの技術によれば、被化粧者は、化粧に関して専門的な知識を持たなくとも、その時々に応じた適切な化粧を行うことが可能となる。
【特許文献１】特開２００１−１０４０５０号公報
【特許文献２】特開２００２−２２４０４９号公報
【発明の開示】
【発明が解決しようとする課題】
【０００４】
しかしながら、毎日同じ化粧品を使っていると、その日の肌の調子によっては肌に合わなくなることも多い。したがって、被化粧者が肌の調子を知らず、これまでと同じ化粧方法を繰り返すことで、化粧品への不満も高まり、化粧品店はリピーターを失うこともある。しかしながら、特許文献１や特許文献２の技術では、被化粧者の本来の肌の調子等を考慮していないという問題点があった。
【０００５】
本発明はこのような事情に鑑みてなされたもので、被化粧者の化粧前の顔画像を撮像し、過去の顔画像と比較することにより現在の被化粧者の顔及び／又は肌の状態を診断する診断装置及び診断方法を提供することを目的とする。
【課題を解決するための手段】
【０００６】
前記目的を達成するために請求項１に記載の診断装置は、化粧前の被化粧者の画像を撮像する撮像手段と、前記撮像された画像を記録手段に記録する記録制御手段と、前記記録手段から過去に撮像された画像を読み出す読み出し手段と、前記記録手段から読み出した過去の画像と前記撮像手段によって得られた現在の画像の２つの画像から、前記被化粧者の顔の部位であって、予め定められた複数の部位をそれぞれ抽出する抽出手段と、前記それぞれ抽出した複数の部位間の距離が一致するように、前記２つの画像のうち少なくとも一方をリサイズするリサイズ手段と、前記複数の部位間の距離が一致した２つの画像に基づいて、現在の被化粧者の顔及び／又は肌の状態を診断する診断手段と、前記診断した顔及び／又は肌の状態を表示手段に表示する表示制御手段とを備えたことを特徴とする。
【０００７】
本発明によれば、被化粧者の化粧前の顔画像を撮像し、過去の顔画像と比較することにより現在の被化粧者の顔及び／又は肌の状態を診断し、診断結果を表示手段に表示するようにしたので、被化粧者は、適切にその日の顔の状態を知ることができる。
【０００８】
また、現在の画像と過去の画像から、予め定められた複数の部位をそれぞれ抽出し、抽出した複数の部位間の距離が一致するように、前記２つの画像のうち少なくとも一方をリサイズするようにしたので、適切に顔及び／又は肌の状態を診断することができる。
【０００９】
請求項２に示すように請求項１に記載の診断装置において、前記リサイズ手段は、前記抽出した複数の部位間の距離が所定の値になるように、前記撮像手段によって得られた現在の画像をリサイズし、前記記録制御手段は、前記リサイズされた現在の画像を記録手段に記録することを特徴とする。
【００１０】
これにより、記録手段に記録される全ての画像が同じサイズとなり、適切に診断することが可能となる。
【００１１】
請求項３に示すように請求項１又は２に記載の診断装置において、前記診断手段は、前記複数の部位間の距離が一致した２つの画像に基づいて、現在の被化粧者の顔のむくみ及び／又は肌のくすみを診断することを特徴とする。
【００１２】
これにより、適切に顔及び／又は肌の状態を診断することができる。
【００１３】
請求項４に示すように請求項１から３のいずれかに記載の診断装置において、前記読み出し手段は、前記記録手段に記録されている画像の中から被化粧者の顔及び／又は肌の状態が最も標準的な画像を読み出すことを特徴とする。
【００１４】
これにより、適切に現在の顔及び／又は肌の状態を診断することができる。
【００１５】
請求項５に示すように請求項１から４のいずれかに記載の診断装置において、前記判断した顔の状態に基づいて、前記被化粧者に適したケア方法、メイク方法、及び化粧品のうち少なくとも１つに関するアドバイスを生成するアドバイス生成手段を備え、前記表示制御手段は、前記生成したアドバイスを表示手段に表示することを特徴とする。
【００１６】
これにより、被化粧者はその日の自分の顔及び／又は肌の状態に適したケア方法、メイク方法、化粧品を知ることができる。
【００１７】
請求項６に示すように請求項１から５のいずれかに記載の診断装置において、ケア方法、メイク方法、及び化粧品のうち少なくとも１つに関するデータベースを備え、前記アドバイス生成手段は、前記判断した顔の状態に基づいて、前記被化粧者に適したケア方法、メイク方法、及び化粧品のうち少なくとも１つを前記データベースを検索してアドバイスを生成することを特徴とする。
【００１８】
これにより、適切なアドバイスを生成することができる。
【００１９】
請求項７に示すように請求項６に記載の診断装置において、被化粧者が自己の所有する化粧品についての情報を入力する入力手段を備え、前記入力手段から入力された情報に基づいて化粧品に関するデータベースを生成することを特徴とする。
【００２０】
これにより、被化粧者が所有する化粧品の中から、化粧品に関するアドバイスを生成することができる。
【００２１】
請求項８に示すように請求項７に記載の診断装置において、前記入力手段は、前記表示手段の前面に備えられた透過型のタッチパネルであって、前記表示手段に表示された複数の入力ボタン画像に対応する部分に触れることにより当該入力ボタン画像に対応するデータの入力が可能なタッチパネルを備えたことを特徴とする。
【００２２】
これにより、他の入力手段が不要となり、場所のとらない、かつ使い勝手のよい装置を提供することができる。
【００２３】
請求項９に示すように請求項１から８のいずれかに記載の診断装置において、前記表示手段の前面又は背面にマジックミラーを備え、前記表示手段が表示を行わないときは前記マジックミラーを鏡として使用可能なことを特徴とする。
【００２４】
これにより、化粧を行う上で欠かせない鏡と表示手段とを一体化でき、場所のとらない、かつ使い勝手のよい装置を提供することができる。
【００２５】
請求項１０に示すように請求項１から９のいずれかに記載の診断装置において、前記撮像手段を前記マジックミラー及び表示手段の背面に配置したことを特徴とする。
【００２６】
これにより、被化粧者が鏡に向かうだけで正面からの顔画像を撮像することができ、場所のとらない、かつ使い勝手のよい装置を提供することができる。
【００２７】
請求項１１に示すように請求項１から１０のいずれかに記載の診断装置において、前記複数の部位間の距離が一致した２つの画像を所定の比率で合成する合成手段を備え、前記表示制御手段は、前記合成した画像を前記表示手段に表示することを特徴とする。
【００２８】
これにより、被化粧者は、その日の顔のむくみを視覚的に知ることができる。
【００２９】
請求項１２に示すように請求項１から１１のいずれかに記載の診断装置において、前記抽出手段は、前記撮像手段によって得られた現在の画像から被化粧者の顔領域を抽出し、前記記録制御手段は、前記抽出された顔領域を記録手段に記録することを特徴とする。
【００３０】
これにより、着ている服や背景等の不要な部分を排除でき、適切にその日の顔の状態を判断することができ、かつ合成した画像が表示された場合も見やすくなる。
【００３１】
前記目的を達成するために請求項１３に記載の診断方法は、化粧前の被化粧者の画像を撮像する撮像工程と、前記撮像された画像を記録手段に記録する記録制御工程と、前記記録手段から過去に撮像された画像を読み出す工程と、前記記録手段から読み出した過去の画像と前記撮像手段によって得られた現在の画像の２つの画像から、前記被化粧者の顔の部位であって、予め定められた複数の部位をそれぞれ抽出する抽出工程と、前記それぞれ抽出した複数の部位間の距離が一致するように、前記２つの画像のうち少なくとも一方をリサイズするリサイズ工程と、前記複数の部位間の距離が一致した２つの画像に基づいて、現在の被化粧者の顔の状態を判断する判断工程と、前記判断した顔の状態を表示手段に表示する表示制御工程とを備えたことを特徴とする。
【００３２】
これによれば、被化粧者の化粧前の顔画像を撮像し、過去の顔画像と比較することにより現在の被化粧者の顔及び／又は肌の状態を判断し、判断結果を表示手段に表示するようにしたので、被化粧者は、適切にその日の顔及び／又は肌の状態を知ることができる。
【００３３】
また、現在の画像と過去の画像から、予め定められた複数の部位をそれぞれ抽出し、抽出した複数の部位間の距離が一致するように、前記２つの画像のうち少なくとも一方をリサイズするようにしたので、適切に顔及び／又は肌の状態を診断することができる。
【発明の効果】
【００３４】
本発明によれば、被化粧者の化粧前の顔画像を撮像し、過去の顔画像と比較することにより現在の被化粧者の顔及び／又は肌の状態を診断し、診断結果を表示手段に表示するようにしたので、被化粧者は、適切にその日の顔の状態を知ることができる。
【００３５】
また、現在の画像と過去の画像から、予め定められた複数の部位をそれぞれ抽出し、抽出した複数の部位間の距離が一致するように、前記２つの画像のうち少なくとも一方をリサイズするようにしたので、適切に顔及び／又は肌の状態を診断することができる。
【発明を実施するための最良の形態】
【００３６】
以下に、本発明を実施するための最良の形態について説明する。
【００３７】
図１は、本発明に係る化粧アドバイスシステム１の全体構成を示す図である。化粧アドバイスシステム１は、最適な化粧方法、ケア方法を被化粧者に提示するためのシステムであり、同図に示すように、インターフェース部１０、現在データ処理部２０、過去データ処理部３０、アドバイス生成部４０、ネットワーク通信部５０から構成される。
【００３８】
インターフェース部１０は、さらに撮像部１２、表示部１４、及び入力部１８から構成される。
【００３９】
図２は、インターフェース部１０を上部から見た断面図である。インターフェース部１０は、被化粧者１００の側からタッチパネル１９、マジックミラー１６、液晶ディスプレイ１７の順に配置されており、さらに液晶ディスプレイ１７の後方に撮像部１２が配置されている。
【００４０】
タッチパネル１９は、例えばガラス又はプラスティック等からなり、光透過性を有する基板本体と、基板本体の上に面状に設けられ、光透過性を有する位置検出用電極と、位置検出用電極上に設けられた絶縁層とを有する静電容量式タッチパネルである。このタッチパネル１９は、入力部１８の一部又は全てを構成する。
【００４１】
マジックミラー１６は、被化粧者からの光を反射し、且つ液晶ディスプレイ１７側からの光を透過する一方向反射透過部材である。なお、マジックミラー１６は 、液晶ディスプレイ１７に対して蒸着、印刷、あるいはシートを張り付ける等の方法により形成することができる。
【００４２】
液晶ディスプレイ１７は、カラー表示が可能な表示部である。この液晶ディスプレイ１７は、後述するように被化粧者の顔画像を表示するための画像表示パネルとして利用されるとともに、タッチパネル１９を用いたユーザインターフェース用表示画面としても利用され、必要に応じてメニュー情報や選択項目、設定内容などの情報が表示される。なお、液晶ディスプレイに代えて、有機ＥＬなど他の方式の表示装置（表示手段）を用いてもよい。
【００４３】
撮像部１２は、図示しない撮影レンズ及び撮像素子を備え、タッチパネル１９、マジックミラー１６、及び液晶ディスプレイ１７を介した被化粧者１００を正面から撮影可能に配置されている。
【００４４】
このように配置することで、インターフェース部１０は、液晶ディスプレイ１７に表示を行っているときは表示装置として機能し、被化粧者１００は液晶ディスプレイ１７の表示内容を視認することができる。また、液晶ディスプレイ１７に表示を行わないときは、マジックミラー１６によって鏡として機能し、被化粧者１００は、通常の鏡として化粧をする際に使用することができる。また、鏡として使用しているときは、撮像部１２により被化粧者を撮影することも可能である。なお、後述するように、液晶ディスプレイ１７が表示可能領域の一部だけに表示を行うことで、表示を行っている部分については表示装置、表示を行っていない部分については鏡として機能させることも可能である。
【００４５】
なお、マジックミラー１６及び液晶ディスプレイ１７の配置は、逆でもよい。被化粧者１００の側からタッチパネル１９、液晶ディスプレイ１７、マジックミラー１６の順に配置した場合であっても、上記のような機能を持たせることが可能である。なお、このような順の配置にする場合は、バックライトの必要な液晶ディスプレイではなく、自発光型のディスプレイを用いることが好ましい。
【００４６】
次に、現在データ処理部２０について説明する。現在データ処理部２０は、顔検出部２２及びデータ解析部２４から構成される。
【００４７】
顔検出部２２は、撮像部１２が撮像した画像信号が入力され、この画像信号から被化粧者１００の顔領域を検出し、顔データとして抽出する。データ解析部２４は、顔検出部２２が抽出した顔データと後述する過去の顔データとを比較解析し、比較結果を出力する。この出力結果は、液晶ディスプレイ１７に表示され、被化粧者１００はこの結果を知ることができる。
【００４８】
過去データ処理部３０は、保存用ハードディスク３２及び過去データ解析部３４から構成される。保存用ハードディスク３２は、顔検出部２２が抽出し、両目頭の距離が所定の値になるようにリサイズされた顔データが、日付等の付帯情報と共に保存される。本実施の形態では、保存する顔データは顔領域のみの画像であるが、顔領域以外の領域を含む画像であってもよい。また、過去データ解析部３４は、保存用ハードディスク３２に保存された過去の顔データから所定の顔データを読み出し、読み出した顔データをデータ解析部２４へ出力する。
【００４９】
アドバイス生成部４０は、化粧品データベース４２、化粧法解析部４４、及び化粧法データベース４６から構成される。
【００５０】
化粧品データベース４２には、被化粧者１００が所持する化粧品が登録されている。被化粧者１００は、入力部１８から所持している化粧品を入力して化粧品データベース４２に登録することが可能である。
【００５１】
図３は、化粧品データベース４２に登録されているデータの一例を示す図である。同図に示すように、化粧品データベース４２には、化粧品の種類、メーカー名、製品名、及び成分が登録されている。なお、後述するように、各化粧品の成分等の製品データは、ネットワークを介して化粧品メーカのサイト等から取得することも可能である。
【００５２】
化粧法データベース４６には、顔の状態毎に、それぞれの状態に適した化粧法が登録されている。図４は、化粧法データベース４６に登録されているデータの一例を示す図である。同図に示すように、化粧法データベース４６には、顔の状態と、その状態に適したケア法、化粧法、及び必要な成分が登録されている。化粧法データベース４６は、化粧品データベース４２と同様に、ネットワークを介して化粧品メーカのサイト等から情報を更新することも可能である。
【００５３】
化粧法解析部４４は、データ解析部２４の解析結果と、化粧品データベース４２に登録されている化粧品、及び化粧法データベース４６に登録されているケア方法及び化粧方法から、被化粧者１００に適した化粧品、ケア方法及びメイク方法を決定して出力する。この出力された化粧品、ケア方法及びメイク方法は、液晶ディスプレイ１７に表示され、被化粧者１００はこれらを知ることができる。
【００５４】
インターネット網６０は、所定のプロトコルに従ってデータ等が伝送される通信ネットワークであり、ネットワーク通信部５０は、インターネット網６０を介して各化粧品メーカのウェブサーバに接続し、化粧品メーカのウェブサイト７０を参照可能に構成されている。ネットワーク通信部５０は、入力部１８の入力に基づいて、化粧品データベース４２に登録された化粧品の成分等のデータを取得し、また化粧法データベース４６を定期的に更新する。
【００５５】
次に、このように構成された化粧アドバイスシステム１の動作について、図５のフローチャートを用いて説明する。
【００５６】
化粧アドバイスシステム１は、通常は液晶ディスプレイ１７に表示を行っておらず、液晶ディスプレイ１７のバックライトも消灯されている。したがって、インターフェース部１０は、マジックミラー１６によって鏡として使用可能となっている。
【００５７】
被化粧者１００が、鏡となっているインターフェース部１０の前方の位置で静止すると、撮像部１２はこれを検出し、自動的に被化粧者１００を撮影する（ステップＳ１）。このとき、被化粧者１００は、通常の鏡を見るように、顔が左右にはみ出さないようにマジックミラー１６の鏡に顔を映せばよい。なお、自動で撮影するのではなく、入力部１８にシャッタボタンを配置し、シャッタボタンを操作することによって被化粧者の撮影を行なってもよい。
【００５８】
顔検出部２２は、撮像部１２が撮影した画像信号から被化粧者１００の顔領域を検出し、検出した顔領域を顔データとして抽出し、顔データを両目頭の距離が所定の値になるようにリサイズして保存用ハードディスク３２に記録する（ステップＳ２）。なお、リサイズするサイズは、全ての画像について統一されていれば、顔の他のパーツ間の距離が所定の値になるようなサイズでもよい。例えば、右目と鼻の距離であってもよいし、両耳間の距離であってもよい。
【００５９】
次に、過去データ解析部３４は、最近１週間に撮影されて保存用ハードディスク３２に記録された顔データを解析し、最も平均的な顔データを抽出し、抽出した顔データをデータ解析部２４へ出力する。過去データ解析部３４が抽出する顔データは、最近１週間に撮影された顔データのうち最も平均的な顔データでなく、例えば、所定の期間内に撮影された顔データのうち最もむくみが少ない顔データ等でもよいし、被化粧者１００が任意に選択した顔データでもよい。
【００６０】
データ解析部２４は、顔検出部２２が抽出した現在の被化粧者１００の顔データと、過去データ解析部３４が抽出した過去の顔データとを比較解析する（ステップＳ３）。例えば、最近１週間のうち最も平均的な顔データと比較して、その日のくすみ、むくみ等の肌の調子、目のくま等が数値的に解析される。なお、それぞれの顔データは、目頭の距離が所定の値にリサイズされていることで、正確に比較解析が可能となっている。
【００６１】
また、顔検出部２２が抽出した現在の被化粧者１００の顔データと、過去データ解析部３４が抽出した過去の顔データとを所定の比率で合成し、さらに左右反転して液晶ディスプレイ１７に表示する。図６は、このときの表示部１４の表示を示す図である。表示部１４（液晶ディスプレイ１７）は、顔表示部１４１と、アドバイス表示部１４２に分かれており、現在の顔と過去の平均的な顔の合成画像は、顔表示部１４１に表示される。左右反転して表示しているために、被化粧者は、鏡を見る感覚と同様の感覚で合成画像を見ることができる。なお、左右反転せずに、通常の合成画像をそのまま表示してもよい。
【００６２】
また、この合成画像には、現在の顔と過去の平均的な顔の差分に色を付けてもよい。このように表示することで、被化粧者１００は、現在の顔のむくみを視覚的に知ることができる。さらに、現在の顔と過去の平均的な顔の合成画像を表示するのではなく、それぞれの顔を並べて表示してもよい。このように表示することで、被化粧者１００は、現在の顔のくすみを視覚的に知ることができる。
【００６３】
次に、化粧法解析部４４は、データ解析部２４の解析結果に基づいて、化粧法データベース４６から最も適切なケア方法、化粧方法を選択する（ステップＳ５）。さらに、選択された化粧方法に基づいて、化粧品データベース４２から最も適切な化粧品を選択する（ステップＳ６）。これらの選択されたケア方法、化粧方法、及び化粧品は、データ解析部２４の解析結果（くすみ、むくみ等の肌の調子等の解析結果）とともにアドバイス表示部１４２の上部に表示される（ステップＳ７）。
【００６４】
例えば、今日は顔がむくんでいるので蒸しタオルを使用する、顔色がくすんでいるのでＡ社の明るい色の頬紅を使用する、目の辺りがむくんでいるのでＢ社のアイラインを使用して濃く引く、等のケア方法、化粧方法及び化粧品を表示する。
【００６５】
なお、化粧法解析部４４は、適切な化粧品が化粧品データベース４２に登録されていない場合、ネットワーク通信部５０を介して化粧品メーカのウェブサイト７０から最も適切な化粧品の情報を取得し、その化粧品を表示部１４に表示してもよい。このように構成することで、被化粧者１００は、自分の肌の状態に最も適切な化粧品を知ることができ、また、化粧品メーカにとっても、自社製品の宣伝が可能となる。さらに、入力部１８を操作することにより、その最も適切な化粧品をネットワーク通信部５０を介して発注できるように構成してもよい。
【００６６】
また、被化粧者１００は、表示された化粧アドバイスを確認後、顔表示部１４１に表示された顔画像を、アドバイス表示部１４２の下部の顔画像格納部１４３に指等でドラッグすることにより、顔画像格納部１４３に顔画像の表示を移動させることができる。このときの顔画像の大きさは、顔画像格納部１４３の大きさに自動的に変更される。これらの操作は、タッチパネル１９により検出する。
【００６７】
このとき、顔表示部１４１は、液晶ディスプレイ１７の表示が停止するとともにバックライトが消灯されるため、顔表示部１４１は再びマジックミラー１６による鏡として使用可能となる。アドバイス表示部１４２には化粧方法などのアドバイスが表示されたままであるので、被化粧者１００は、表示部１４のアドバイス表示部１４２に表示されたアドバイスを参照すると同時に、顔表示部１４１を通常の鏡として使用して化粧をすることが可能となる。
【００６８】
また、化粧前の顔画像がアドバイス表示部１４２の顔画像格納部１４３に左右反転されて表示されているため、マジックミラー１６に写った顔と違和感無く比較することができ、化粧の効果を容易に確認することができる。例えば、被化粧者の顔の右側に吹き出物ができている場合に、マジックミラー１６に写った顔と顔画像格納部１４３に表示されている顔は、ともに被化粧者１００から向かって右側に吹き出物が存在することになる。図７は、アドバイス表示部１４２にアドバイスを表示すると共に、顔表示部１４１が鏡として使用可能になっている表示部１４を示す図である。
【００６９】
なお、顔検出部２２において個人の顔を特定し、個人別に保存用ハードディスク３２に顔データを記録するように構成することで、姉妹間や親子間で本システムを共用することも可能である。個人の判別は、顔検出部２２において行うのではなく、入力部１８において被化粧者がユーザ名等を入力することによって行なってもよい。
【図面の簡単な説明】
【００７０】
【図１】図１は、本発明に係る化粧アドバイスシステム１の全体構成を示す図である。
【図２】図２は、撮像部１２及び表示部１４を上部から見た断面図である。
【図３】図３は、化粧品データベース４２に登録されているデータの一例を示す図である。
【図４】図４は、化粧法データベース４６に登録されているデータの一例を示す図である。
【図５】図５は、化粧アドバイスシステム１の動作を示すフローチャートである。
【図６】図６は、現在の顔と過去の平均的な顔の合成画像を表示するした表示部１４を示す図である。
【図７】アドバイス表示部１４２にアドバイスを表示すると共に、顔表示部１４１が鏡として使用可能になっている表示部１４を示す図である。
【符号の説明】
【００７１】
１…化粧アドバイスシステム、１０…インターフェース部、１２…撮像部、１４…表示部、１６…マジックミラー、１７…液晶ディスプレイ、１８…入力部、１９…タッチパネル、２０…現在データ処理部、２２…顔検出部、３０…過去データ処理部、４０…アドバイス生成部、４２…化粧品データベース、４４…化粧法解析部、４６…化粧法データベース、５０…ネットワーク通信部、６０…インターネット網、７０…化粧品メーカウェブサイト（サーバ）、１００…被化粧者、１４１…顔表示部、１４２…アドバイス表示部、１４３…顔画像格納部
【図１】
2010086036.tif 000003
【図２】
2010086036.tif 000004
【図３】
2010086036.tif 000005
【図４】
2010086036.tif 000006
【図５】
2010086036.tif 000007
【図６】
2010086036.tif 000008
【図７】
2010086036.tif 000009